(57)【要約】      【課題】  本発明は、所定の期日まで新掲示内容を表示してなる新看板本体を一時的に被覆・隠蔽する方法であって、再度足場を組むことなく所定の期日に一気且つ簡便に旧掲示内容を取り払い、新掲示内容を表示し得るようにする看板本体を被覆する方法を提供することを目的とする。      【解決手段】  特定の掲示内容を表示する看板本体の側面を、前記看板本体とは異なる掲示内容を表示し、複数の端部にそれぞれ複数の孔等を有する表示シートでほぼ一周くるみ、前記孔等を有する２つの端部を対向ないし重ね合わせ、各端部の孔等に互い違いに紐を通し、前記表示シート下部もしくは前記看板本体上方で前記紐の端を解放可能に留めることを特徴とする看板本体を被覆する方法。    【選択図】  図３
2005107241.tif 000002
【特許請求の範囲】
【請求項１】
特定の掲示内容を表示する看板本体を、前記看板本体とは異なる掲示内容を一時的に表示する表示シートと紐とで被覆する方法であって、
複数の端部にそれぞれ複数の孔、環、ループもしくはかぎホックを有する表示シートを用い、
前記表示シートで前記看板本体の側面をほぼ一周くるみ、前記孔、環、ループもしくはかぎホックを有する２つの端部を対向ないし重ね合わせ、各端部の孔、環、ループもしくはかぎホックに互い違いに紐を渡し、前記表示シート下部もしくは前記看板本体上方で前記紐の端を解放可能に留めることを特徴とする看板本体を被覆する方法。
【請求項２】
表示シートが、看板本体の天の面を被覆するための部分及び／又は看板本体の地の面を被覆するための部分を有することを特徴とする請求項１記載の被覆する方法。
【請求項３】
表示シートが、看板本体天面被覆用部分及び／又は看板本体地面被覆用部分の端部に孔、環もしくはループを有し、該孔、環もしくはループに紐を通すことを特徴とする請求項２記載の被覆する方法。
【請求項４】
互い違いに渡す紐の角度を１００〜１８０度とすることを特徴とする請求項１ないし３いずれか記載の被覆する方法。
【請求項５】
特定の掲示内容を表示する看板本体を、前記看板本体とは異なる掲示内容を一時的に表示する表示シートと紐とで被覆してなる臨時看板であって、
複数の端部にそれぞれ複数の孔、環、ループもしくはかぎホックを有する表示シートを用い、
前記表示シートで前記看板本体の側面をほぼ一周くるみ、前記孔、環、ループもしくはかぎホックを有する２つの端部を対向ないし重ね合わせ、各端部の孔、環、ループもしくはかぎホックに互い違いに紐を渡し、前記表示シート下部もしくは前記看板本体上方で前記紐の端を解放可能に留めてなることを特徴とする臨時看板。
【請求項６】
請求項５記載の臨時看板を構成する紐の端を解放し、孔、環、ループもしくはかぎホックに互い違いに渡された紐を除去し、看板本体から表示シートを取り外す方法。
【請求項７】
複数の端部にそれぞれ複数の孔、環、ループもしくはかぎホックを有する表示シートと、紐とから構成されることを特徴とする看板本体被覆用セット。
【発明の詳細な説明】
【技術分野】
【０００１】
本発明は、屋内外の看板，広告板等の板状掲示部材本体（以下、看板本体という）を一時的に被覆・隠蔽する方法、該方法によって被覆・隠蔽された臨時看板、及び看板本体を被覆・隠蔽していた表示シートを除去する方法、並びに上記臨時看板の形成に供される看板本体被覆用セットに関する。詳しくは、建築物の外壁の比較的高所に設置される看板本体や、支柱を用いて比較的高所に設置される看板本体を一時的に被覆・隠蔽する方法等に関する。
【背景技術】
【０００２】
従来から、様々な内容を表示してなる広告板、看板等の板状の掲示物材が様々な形で屋内外に設置されている。昨今、銀行、石油会社、保険会社をはじめ様々な法人が、合併や統合の結果、あるいはいわゆるコーポレイト・アイデンティティー（Ｃ．Ｉ．）の一環として、会社名や銀行名、ロゴマーク、住所等を変更することが多々ある。このような場合、会社名等を表示した屋外看板等の掲示内容を、ある一定の期日に全国一斉に、一気且つ簡便に変更する必要が生じる。また、鉄道等の時刻表もその内容を変更する際には、ある一定の期日に、一気且つ簡便に変更する必要が生じる。
具体的には、看板本体には新掲示内容を表現し、その新掲示内容を所定の期日まで隠し、外面上は旧掲示内容を表示しておき、所定の期日が来たら旧掲示内容を取り払い、新掲示内容を一気にあらわにする必要がある。尚、所定の期日前においては、「旧」掲示内容は「現行」掲示内容と同義である。
【０００３】
これに対応するために特開平４−１９１８８３号公報（特許文献１）には、旧掲示内容を表示してなる再剥離型粘着シートを、新掲示内容を表示してなる看板本体に貼着し、所定の期日になったら、再剥離型粘着シートを掲示部材から剥がし、それまで被覆隠蔽されていた新掲示内容をあらわにする方法が提案されている。
この方法によれば、新掲示内容を臨時に一定期間被覆・隠蔽し、所定の期日に掲示内容を素早く簡便に変更し、新掲示内容を一気にあらわにするという目的は、一応は達成することができる。
しかし、この方法の場合、旧掲示内容を表示してなる再剥離粘着シートを看板本体に貼り合わせた後、経時でシート本体の収縮等が原因で粘着剤の粘着力が低下することがあり、その結果、再剥離粘着シートが看板本体から浮いてしまい、外観を損ねるという問題がある。そして、粘着力の低下が著しい場合には、再剥離粘着シートが看板本体から剥がれてしまい、下地の新掲示内容が所定期日前に露呈してしまうという問題があった。
一方、貼着後高温下に曝されると経時で粘着剤の粘着力が上昇する場合もあり、その結果、再剥離粘着シートを看板本体から所定の期日に引き剥がすことが困難になるという問題もある。粘着力の上昇が著しい場合には、粘着シートを看板本体から引き剥がす際にシート部材そのものがちぎれてしまったり、下地掲示内容を破損してしまったり、さらに粘着力の大きい場合に、再剥離粘着シートを無理矢理掲示部材から引き剥がそうとすると、看板本体を建築物壁面や地面に固定するためのポール・支柱等を変形させてしまうという問題もある。
【０００４】
ところで粘着剤自体を改善し、貼着後の粘着力の経時変化を抑制・防止し得たとしても、粘着剤を使用する以上、剥離後看板本体の表面に微量ではあっても粘着剤が残留する。看板本体表面に残留した粘着剤は、土、砂、粉塵、埃等の汚れ付着の原因になるという問題がある。さらに、新掲示内容を表示してなる看板本体表面が凹凸を有する場合、例えば新掲示内容をレリーフ状に立体的に表示した場合には、粘着シートの粘着剤と看板本体の表面との接触面積が小さくなったり、あるいは新掲示内容の凹凸が旧掲示内容を表示してなる粘着シートの表面に反映されてしまう。従って、このような凹凸を有する看板本体には、特開平４−１９１８８３号公報（特許文献１）に記載されるような方法は適用できないという問題もあった。
【０００５】
また特開平１１−２９６１１８号公報（特許文献２）には、取り外し可能な固定手段で選挙ポスター等のシート状掲示物を板状基板に固定してなる掲示板に関する発明が提案されている。特開平１１−２９６１１８号公報（特許文献２）に記載される発明は、板状基板、即ち看板本体にシート状物を取り付けるので、看板本体が高所に設置されている場合には、シート状物を取り付ける際及び取り外す際にその都度足場を組み、作業をする必要があり、簡便性，安全性，経済性に欠けるという問題がある。
【０００６】
特に会社名等を変更するよう場合には、シート状物を取り付ける際のみならず、取り外す際にも足場を組む必要がある方法は、きわめて問題が大きい。
即ち、会社名等を変更するよう場合であっても、旧掲示内容を表示してなる旧看板本体を取り外し、これに代わって新掲示内容を表示してなる新看板本体、及び該新掲示内容を所定の期日まで一時的に被覆・隠蔽するために旧掲示内容を表示してなる部材の取り付けは、休業日や夜間に行うことも可能であり、足場を組み、足場を撤去する時間的余裕を確保することも可能ではある。
【０００７】
しかし、旧掲示内容を表示してなる部材を取り外す際に、足場や高所作業車等を必要とする方法は以下の理由によって採用し難い。
即ち、全国展開しているような会社や銀行等の場合、支店、支所、出張所等まで含めるとその店舗は極めて多い。従って、全国一斉に全店舗において旧掲示内容を表示してなる部材を取り外さなければならない場合、足場を組み、撤去する作業者、高所作業車及びその運転員等を確保することは非現実的である。
【０００８】
ところで、会社名等を変更するような場合、旧掲示内容を表示してなる被覆・隠蔽用の部材を取り外し、新掲示内容を表示してなる新看板本体をあらわにするという行為は、新会社・新銀行等を一般社会に披露する行為に他ならず、祝賀的、慶事的要素が極めて強い。また、関係者及び一般消費者等の目の前で新会社名等を晴れやかに披露したいという要望も強い。
従って、旧掲示内容を表示してなる被覆・隠蔽用の部材を取り外すために足場を必要とする方法は、祝賀的、慶事的雰囲気を損なうという点でも、新会社名等を披露する場合には採用し難い。
【０００９】
そこで、特開２００２−１９６６８０号公報（特許文献３）には、ひもによって接合を解除可能な接合部材を有し、表面に掲示内容を掲示してなる表示シートで看板本体を覆うことにより、被覆・隠蔽用の前記表示シートを取り外す際に、再度足場を組むことなく、ひも状部材を引くだけで一気且つ簡単に看板本体の掲示内容をあらわにできる方法が発明された。
しかしながら、この方法は、面状ファスナー（登録商標：マジックテープ）のような解除可能な接合部にひもをつけ、それを操作することにより接合部を解除し、表示シートを剥離する方法であるので、剥離の角度によってはこれらの接合部の剥離が困難なことである。例えば、面状ファスナーは、９０度Ｔ字剥離を行うなら、非常に簡単に剥離することができるが、剪断剥離方法の場合は剥離する事は困難である。前述したような会社名等を表示した屋外看板等の掲示内容を、ある一定の期日に全国一斉に変更する場合、剥離方法に習熟している者ばかりが剥離するとは限らない。剥離に不慣れな者が、剥離角度を間違て剥離しようとすると、接合部をとめているひもが切れ、接合部を解除できないという場合もある。
【特許文献１】特開平４−１９１８８３号公報
【特許文献２】特開平１１−２９６１１８号公報
【特許文献３】特開２００２−１９６６８０号公報
【発明の開示】
【発明が解決しようとする課題】
【００１０】
本発明は、上記問題に鑑みなされたものであって、会社等の合併や統合の結果、あるいはいわゆるコーポレイト・アイデンティティー（Ｃ．Ｉ．）の一環として、会社名や銀行名、ロゴマーク、住所等を変更する場合に、所定の期日まで新掲示内容を表示してなる新看板本体を一時的に被覆・隠蔽する方法であって、再度足場を組むことなく所定の期日に一気且つ簡便に旧掲示内容を取り払い、新掲示内容を表示し得るようにする看板本体を被覆する方法、及び該方法に供される臨時の看板、及び社名等を記載した屋外看板等の板状掲示部材の掲示内容を、再度足場を組むことなく一気且つ簡便に変更し得る方法、並びに上記臨時看板や上記方法に使用し得る被覆・隠蔽用セットを提供することを目的とする。
【課題を解決するための手段】
【００１１】
本発明は、特定の掲示内容を表示する看板本体を、前記看板本体とは異なる掲示内容を一時的に表示する表示シートと紐とで被覆する方法であって、
複数の端部にそれぞれ複数の孔、環、ループもしくはかぎホックを有する表示シートを用い、
前記表示シートで前記看板本体の側面をほぼ一周くるみ、前記孔、環、ループもしくはかぎホック孔を有する２つの端部を対向ないし重ね合わせ、各端部の孔、環、ループもしくはかぎホックに互い違いに紐を渡し、前記表示シート下部もしくは前記看板本体上方で前記紐の端を解放可能に留めることを特徴とする看板本体を被覆する方法に関する。
【００１２】
また、本発明は、表示シートが、看板本体の天の面を被覆するための部分及び／又は看板本体の地の面を被覆するための部分を有することを特徴とする上記発明に記載の被覆する方法に関し、
さらに本発明は、表示シートが看板本体天面被覆用部分及び／又は看板本体地面被覆用部分の端部に孔、環もしくはループを有し、該孔、環もしくはループに紐を通すことを特徴とする上記発明に記載の被覆する方法に関し、
さらにまた本発明は、互い違いに渡す紐の角度を１００〜１８０度とすることを特徴とする上記発明のいずれか記載の被覆する方法に関する。
【００１３】
また、本発明は、特定の掲示内容を表示する看板本体を、前記看板本体とは異なる掲示内容を一時的に表示する表示シートと紐とで被覆してなる臨時看板であって、
複数の端部にそれぞれ複数の孔、環、ループもしくはかぎホックを有する表示シートを用い、
前記表示シートで前記看板本体の側面をほぼ一周くるみ、前記孔、環、ループもしくはかぎホックを有する２つの端部を対向ないし重ね合わせ、各端部の孔、環、ループもしくはかぎホックに互い違いに紐を渡し、前記表示シート下部もしくは前記看板本体上方で前記紐の端を解放可能に留めてなることを特徴とする臨時看板に関する。
【００１４】
さらに本発明は、上記発明に記載の臨時看板を構成する紐の端を解放し、孔、環、ループもしくはかぎホックに互い違いに渡された紐を除去し、看板本体から表示シートを取り外す方法に関する。
【００１５】
また、本発明は、複数の端部にそれぞれ複数の孔、環、ループもしくはかぎホックを有する表示シートと、紐とから構成されることを特徴とする看板本体被覆用セットに関する。
【発明の効果】
【００１６】
本発明により、会社等の合併や統合の結果、あるいはいわゆるコーポレイト・アイデンティティー（Ｃ．Ｉ．）の一環として、会社名や銀行名、ロゴマーク、住所等を変更する場合に、所定の期日まで新掲示内容を表示してなる新看板本体を一時的に被覆・隠蔽し、再度足場を組むこともなく、また粘着剤を使用していないので粘着剤を看板本体に残すこともなく、更に接合部材を使っていないので、隔離角度に関係なく、誰が行っても所定の期日に一気且つ簡便に旧掲示内容を取り払い、新掲示内容を表示し得るようになった。
【発明を実施するための最良の形態】
【００１７】
本発明の様々な実施形態について、図に基づいて説明する。
看板本体１は、図１に示すようにその表面に特定の掲示内容（図１では「Ａ社」）を表示している。看板本体１は、取り付け治具７を介して支柱６に取り付けられている。
【００１８】
表示シート２は、その表面に前記看板本体１の表示内容とは異なる内容（図２では「Ｂ社」）を表示している。表示シート２は、図２や図４の展開図に示すように前記看板本体の側面部をほぼ一周くるみ得る形状を有しており、複数の端部にそれぞれ複数の孔を有する。一の端部の孔と他の端部の孔とは、表示シートで看板本体側面部をほぼ一周くるんだ際に、看板本体の側面で対向し得る位置に設けられている。即ち、表示シートの看板本体側面部被覆用部分の複数の端部に複数の孔を有する。
表示シート２は、さらに前記看板本体の天の面を被覆するための部分をも有することが好ましく、該天面被覆用部分は看板本体の天面よりも大きいことが好ましい。そして、看板本体の天面を被覆した際にはみ出る天面被覆用部分の端部にも孔を有することが好ましい。
尚、看板本体を被覆する際の状態をイメージし易くするために、図２では表示シート２を比較的剛直な状態で表したが、表示シート２としては後述するように柔軟なプラスチックシートや布などが用いられる。
【００１９】
図３は、図２に示される表示シート２と、紐４とを用いて、図１に示される看板本体１を被覆した状態を示すものである（看板本体１を支柱６に取り付けるための取り付け治具７は図示せず）。
表示シート２の看板本体天面被覆用部分で看板本体１の天面を被覆し、看板本体天面よりも大きく看板本体天面の外にはみ出す表示シート２の看板本体天面被覆用部分の端部を看板本体側面部側に曲げる。表示シート２の看板本体側面被覆用部分で看板本体側面部をほぼ一周くるみ、看板本体天面被覆用部分の端部に設けられた孔と、看板本体側面被覆用部分の端部に設けられた孔のうち上部に設けられた孔とを重ねる。重ねた両孔に紐４を通し、看板本体側面被覆用部分の両端部に設けられた各孔に紐４の端部を互い違いに通し、紐４を引き締め、看板本体１に表示シート２を密着させ、表示シート２の下部で紐４の端部を解放可能に結び、看板本体１を表示シート２で被覆する。結んだ後、紐４の端部は支柱に留めておくことができる。
【００２０】
十分長い紐４を用いれば、後日特別な足場や脚立を必要とすることなく、下方から紐４の端部を引くことによって結び目を解くことができるので好ましい。
尚、図２では紐を結ぶ場合を示してあるが、クリップ型コードロック（開放型フックともいう）等の紐を解放可能に留める部材を用いて紐を締め、看板本体１を被覆することもできる。看板本体１の下端が脚立に乗って届く程度の高さの場合は、クリップ型コードロック等を用いることもできる。
【００２１】
次いで、紐４を孔３から引き抜けば、表示シート２は自重で下方に落下し、看板本体１の被覆状態を解除することができる。
孔３から紐４を引き抜く際の引き抜き易さの点から、各孔に互い違いに紐４を通す際の角度は１００〜１８０度であることが好ましく、１５０〜１８０度であることがより好ましく、１８０度に近い方が望ましい。孔と孔とを繋ぐ紐４の接合角度は図９（２）に示すように１００度未満であると、紐が孔を通過する際の抵抗が大きく、紐が抜けにくくなる。従って、図９（１）に示すように１００度よりも大きく１８０度に近い方が好ましい。
孔から紐４を引き抜きやすくするために、孔と孔とを繋ぐ紐４の接合角度が１００〜１８０度となるように、被覆すべき対象である看板本体１の大きさ及び形状を考慮して、表示シート２の大きさ及び形状、並びに孔の位置を決定すればよい。
尚、孔と孔とを繋ぐ紐４の接合角度が１８０度とは、表示シート２の看板本体側面被覆用部分の端部同士がほぼ重なり合った状態にあり、各端部の孔がほぼ直線上に並んだ状態にある。
【００２２】
図５、６は、本発明の別の実施態様を示す。即ち、図６は、図５に示すような２枚の表示シートを用いて、看板本体を被覆する場合を示す。
【００２３】
図１０〜１３は、本発明の別の実施態様を示す。
図１〜６に示す態様は、紐の端部を表示シート２下部で解放可能に留める場合であった。これに対し図１０〜１３に示す態様は、表示シート２の側面被覆用部分の端部に設けられた孔３のうち下部の孔から上方に向かって紐４を渡し、看板本体１を被覆した後、看板本体１の上方で、紐４の端部を解放可能に留める場合である。尚、図１１の場合、看板本体を建物外壁に取り付けるための取り付け治具７は図示していない。図１２、１３は、看板本体上方で紐を留める場合に好適な表示シートの態様を示す。図１５、１６も看板本体上方で紐を留める場合に好適な表示シートの態様であり、表示シート２の側面被覆用部分の端部に孔３の他に筒状部を設け、該筒状部も利用する態様を示す。
紐４の端部は、例えば図１０に示すように看板本体１が取り付けられている建物のさらに高所に紐固定用の治具８を取り付け、この治具に結ぶことができる。あるいは紐固定用の特別の治具を設けることなく、建物の屋上の手すりや、旗を立てるためのポールを利用して紐の端部を看板本体１の上方で解放可能に結んでもよい。
臨時看板から表示シート２を取り外す際には、紐４の端部をほどき、一方の端を引き、各孔３から順次紐４を引き抜き抜けば、表示シート２は自重で下方に落下する。
尚、被覆状態が予定外の時期に突然解除され、表示シート２が看板本体１から脱離し、落下すると危険なので、被覆用の紐とは別に落下防止用の紐を表示シート２に取り付けておくこともできる。落下防止用の紐を表示シート２に取り付けておいた場合、臨時看板から表示シート２を取り外す際、この落下防止用の紐を利用して表示シート２を上方に引き上げたり、地上にゆっくり降ろしたりすることもできる。
【００２４】
看板本体について説明する。
看板本体としては、アクリル看板やフレキシブルフェイス看板やプラスチック成形看板等の内照式、また金属看板や塗装看板等の非内照式のものが挙げられる。看板本体には、後述するように表示シートとは異なる掲示内容が表示されている。掲示内容の形成方法としては、シート本体の場合と同様に各種印刷、各種転写、マーキングフィルム等の貼り付け等、種々の方法が適用できる。
【００２５】
看板本体の取り付けられ方について説明する。
図１、３、５は、支柱にほぼ直行するよう看板本体が取り付けられている状態を示す。このような場合の他に、図８（１）に示すように支柱の延長線上に看板本体が取り付けられている状態、図８（２）に示すように建築物外壁に看板本体が取り付けられている状態、図８（３）に示すように天井から看板本体が吊り下げられている状態等、様々な状態にある看板本体を被覆する際に本発明を適用することができる。
【００２６】
次に本発明に用いられる表示シートについて説明する。
使用される表示シートとしては、布，紙，プラスチックシート，合成紙や比較的厚みの薄い板状物など、またはこれらを積層してなる積層物が挙げられる。表示シートは、軽量で且つ引き裂き強度等の物理強度に優れること、また縫製のし易さから、布が最も好ましい。
表示シートは、材料によって好適な厚みは違うが、０．０１ｍｍ〜３．００ｍｍ程度の範囲が良好であり、特に０．１０ｍｍ〜１．００ｍｍが良好である。
また、看板本体を被覆・隠蔽している間に日光、風雨等に曝されること等を考慮し、シート本体は、耐水性，耐汚染性を付与・向上するための表面処理を施すこともできるし、掲示内容を表示し易くするためにシート本体の表面に処理を施すこともできる。
尚、必要に応じて表示シートに窓部を設けて、臨時看板において看板本体の一部を露出させることもできる。また、臨時看板において表示シートが空気を抱き込んで膨れるのを防止するために、表示シートの一部に空気抜きの切れ目を入れておくこともできる。
【００２７】
以下に代表的なものを列挙すると、布としては横断幕や懸垂幕のように耐水性を付与するために布に樹脂を含浸したものや、タフタ（シルク，レーヨン，アセテート，ナイロン，折エステル等を使用したもの）に耐水性，撥水性加工をしたもの、紙としては耐水性や強度を上げる為に両面プラスチックフィルムをラミネートしたもの、プラスチックシートとしては、テント地等に使用される塩化ビニルシート、アクリル系シート，フッ素系シート，ポリエチレンテレフタレート（ＰＥＴ）シート，オレフィンシート、ウレタンシート等が挙げられ、ポリオレフィンシートとしては、建築養生シート（通称ブルーシート）等に使用されるポリエチレンシート、ポリプロピレンシート等が挙げられる。合成紙では、ユポ（王子製紙製：商品名）など印刷適性や強度に優れたものが挙げられる。また比較的厚みの薄い板状物としては、プラスチック板、合板，軽量金属板等が挙げられ、プラスチック板としては、ポリカーボネート板、アクリル板、硬質塩化ビニル板等が挙げられる。
【００２８】
表示シートの看板本体側面部被覆用部分の各端部には、紐を通したり、かけたりするための複数の孔、環、ループを有する。その孔等の間隔は、一定間隔でもいいし、一定間隔でなくてもいい。壁や支柱にブランケット、即ち取り付け用治具を介して固定されている看板本体を被覆する場合、そのブランケットの部分を避けて、紐を各孔等に渡し、紐を締めなくてはならないので、一定間隔でなくても構わない。
図２〜６、図７（１）では、表示シートの看板本体側面部被覆用部分の各端部に孔を直に設ける場合を示す。表示シートに孔を直に設ける場合には、無造作に孔を空けるのは好ましくない。表示シートが布の場合、紐を引っ張る時に布が端部に設けた孔周囲から引き裂ける事があるので、通常「ハトメ」と言われる金属や樹脂のリング状のもので孔が広がらないように固定する事が望ましい。
【００２９】
表示シートに孔を直に設ける他に、図７（２）に示すように予め孔を設けた別の部材を用意し、当該別の部材を表示シートの端部に縫いつけ、表示シートと一体化してもよい。
また、図７（３）、（４）に示すように、表示シートの端部にループを設けることもできる。
また、図７（５）に示すように、表示シートの端部に環を設けることもできる。た場合を示す。環は、Ｄ状環、三角状環等種々のものを使用することができる。
さらに図７（６）に示すように、かぎホックを表示シートの端部に設け、対向する端部のかぎホックに紐を渡すことによって、看板本体を被覆することもできる。かぎホックの場合、かぎホックを取り付ける角度は、紐を引き抜き易いように任意に設定すればよい。
【００３０】
表示シートの表面には、何らかの掲示内容が表示されている。例えば、社名変更や広告内容の切り替えの場合には、変更・切り替え前、即ち従来通りの旧内容が表示されているものである。所定の期日に看板本体から表示シートを取り外すことによって、表示シートの表面の掲示内容は看板本体の掲示内容に代替されることとなる。従って、表示シートの掲示内容は、看板本体の掲示内容とは異なる。
表示シートの掲示内容は、各種印刷、各種転写、切り文字・図柄等の貼着等の方法によって形成することができる。
各種印刷方式としては、インキジェット印刷、スクリーン印刷、グラビア印刷、オフセット印刷、フレキソ印刷等が挙げられる。各種転写方式としては、感熱転写等が挙げられる。切り文字等の貼着としては、裏面に粘着剤を塗布してなるいわゆるマーキングフィルムやインキジェットフィルムから文字や図柄を切り出し、これをシート本体に貼着する方法が挙げられる。
【００３１】
次に紐について説明する。
表示シートの孔等に通し、これを締め縛る事により看板本体に表示シートを密着させ、看板本体を被覆するためのものである。上記したように紐の端部を解放し、表示シートから紐を取り除くことにより、被覆状態を解放することができる。紐としては、強度、耐性，柔軟性を有する一般的な布製の紐、プラスチック製の紐、金属製の編み込み紐等が挙げられる。紐の本数，太さなどは、看板の大きさや孔の大きさによって適宜選択される。
【実施例】
【００３２】
＜実施例１＞
（１）看板本体（図１参照）
縦：２７１０ｍｍ、横：６１０ｍｍ、奥行き：１８０ｍｍの両面アクリル乳白成形板仕様の内照式電飾看板（三和プラスチック株式会社製／突き出しサイン２９０角アルミ）を使用し、マーキングフィルム：ダイナカルサイン／ＤＳ７８０１（東洋インキ製造株式会社製）を用いて切り文字にて「Ａ社」と掲示し、高さ５ｍの位置に設置した。
【００３３】
（２）表示シート（図５参照）
次に、縦：２７３０ｍｍ、横：６３０ｍｍ、に裁断した布（セリアート株式会社製／No２９葛城３枚合わせ）を用い、その端部（縦方向・横方向各２辺とも）に４０ｃｍ間隔で穴の周りに樹脂ハトメを用いて穴を約４０ｃｍ間隔で空けた。これをシートＡとした。次に全く同様にシートBを作成するが、このシートＢは穴の間隔は４０ｃｍピッチで同じであるが、その穴のはじまりがシートＡと２０ｃｍずれている。つまりシートＡとシートＢは重ねた時に、穴の位置はちょうど互い違いにずれている事となる。これらシートＡ，Ｂの表面には「Ｂ社」と印刷した。
【００３４】
（３）臨時看板（図６及び図９（１）参照）
シートＡとＢの互い違いになっている穴にひもを通し、縛って前記の内照式電飾看板の両面に「Ｂ社」の印刷面を掲示し、臨時看板を得た。この時互い違いのひもの穴を中心とした角度は、図９（１）に示すように１６０°であった。
（３）取りつけ３ヶ月後に、特に足場を組むことなく、ひもを引っぱることにより、穴よりひもが簡単にすり抜け、シートＡ，Ｂを内照式看板本体より取り外し、新内容を掲示することができた。
【００３５】
＜実施例２＞
実施例１と同様の看板に、同様のシートやひもを用いたが、穴の位置を変え、互い違いのひもの穴を中心とした角度を図９（２）に示すように９０°とした。それ以外は全く実施例１と同様にした。
取りつけ３ヶ月後に、ひもを引っぱったところ、実施例１の場合に比して穴の部分での抵抗が大きかったので、ひもをかなり強く引っ張ることによって、ひもを引き抜き、シートＡ，Ｂを内照式看板本体より取り外し、新内容を掲示することができた。
【００３６】
＜実施例３＞
（１）看板本体（図１４参照）
縦：３６３０ｍｍ、横：６３０ｍｍ、奥行き：２００ｍｍの両面アクリル乳白成形板仕様の内照式電飾看板（三和プラスチック株式会社製／突き出しサイン２１２角アルミ）を使用し、マーキングフィルム：ダイナカルサイン／ＤＳ７８０１（東洋インキ製造株式会社製）を用いて切り文字にて「Ａ社」と掲示し、高さは建屋屋上から５ｍの位置に設置した。
【００３７】
（２）表示シート（図１５参照）
次に、看板表示面用として縦：３６５０ｍｍ、横：６５０ｍｍと看板側面用として縦：４９９０ｍｍ、横：２２０ｍｍに裁断した布（ＮＩ帝人商事株式会社製／５０７５タフタシルバーコート）を用い縫製し、更にその端部に同布を用いて筒状部位と、樹脂ハトメを用いて穴部位を縫製した。表面には、マーキングフィルム：ダイナカル／ＤＣ０００１（東洋インキ製造株式会社製）を用いて切り文字にて「Ｂ社」と表記した。
【００３８】
（３）臨時看板（図１６参照）
表示シートの上下（穴部位）と左右（筒状部位）にひもを通し、上方に伸ばしたそのひもを建屋屋上欄干にしっかりと縛った。また落下防止用及び引っ張り上げ用ひもとして同表示シート側面上部にある穴部位に結ばれたひもも同様に上方に伸ばし、建屋屋上欄干にしっかりと縛った。前記の内照式電飾看板の両面に「Ｂ社」の印刷面を掲示し、臨時看板を得た。
（３）取りつけ３ヶ月後に、特に足場や高所作業車等を使用することなく、建屋屋上からひもを引っぱることにより、穴よりひもがすり抜け、表示シートを内照式看板本体より取り外し、新内容を掲示することができた。
【００３９】
＜実施例４＞
（１）看板本体（図１７参照）
縦：３６００ｍｍ、横：６５０ｍｍ、奥行き：１５０ｍｍのステンレス製独立型看板を使用し、マーキングフィルム：ダイナカルサイン／ＤＳ７８０１（東洋インキ製造株式会社製）を用いて切り文字にて「Ａ社」と掲示し、地面上に設置した。
（２）表示シート（図１８参照）
次に、看板表示面用として縦：３６２０ｍｍ、横：７００ｍｍと看板側面用として縦：４３２０ｍｍ、横：１７０ｍｍに裁断した布（ＮＩ帝人商事株式会社製／５０７５タフタシルバーコート）を用い縫製し、その端部に４００ｍｍ間隔で樹脂ハトメを用いて穴部位を縫製した。この穴部位は表示シート左右で、穴のはじまりが２００ｍｍずれている。つまり表示シート左右は重ねた時に、穴の位置はちょうど互い違いにずれている事となる。表面にはシルクスクリーン印刷により「Ｂ社」と表記した。
【００４０】
（３）臨時看板（図１９参照）
表示シートの左右と上部を違いになっている穴にひもを通し、縛って前記の独立型看板の両面に「Ｂ社」の印刷面を掲示し、臨時看板を得た。この時互い違いのひもの穴を中心とした角度は、１６０°であった。
（３）取りつけ３ヶ月後に、特に足場を組むことなく、地上面よりひもを引っぱることにより、穴よりひもがすり抜け、表示シートを独立型看板本体より取り外し、新内容を掲示することができた。
【図面の簡単な説明】
【００４１】
【図１】・・・・・・看板本体の斜視図。
【図２】・・・・・・表示シートの斜視図。
【図３】・・・・・・表示シート及び紐で看板本体を被覆した状態を示す斜視図。
【図４】・・・・・・表示シートの展開図。
【図５】・・・・・・表示シートの斜視図。
【図６】・・・・・・表示シート及び紐で看板本体を被覆した状態を示す斜視図。
【図７】・・・・・・表示シート端部に設けられた孔、環、ループを示す模式図。
【図８】・・・・・・看板本体の取り付けられ方を示す模式図。
【図９】・・・・・・表示シート及び紐で看板本体を被覆した状態の紐の角度を示す模式図。
【図１０】・・・・表示シート及び紐で看板本体を被覆した状態を示す模式図。
【図１１】・・・・・表示シート及び紐で看板本体を被覆した状態を示す斜視図。
【図１２】・・・・・表示シートの斜視図。
【図１３】・・・・・表示シートの展開図。
【図１４】・・・・・＜実施例３＞による看板本体の取り付けられ方を示す模式図。
【図１５】・・・・・＜実施例３＞による表示シートの斜視図。
【図１６】・・・・・＜実施例３＞による表示シート及び紐で看板本体を被覆した状態              を示す斜視図。
【図１７】・・・・・＜実施例４＞による看板本体の取り付けられ方を示す模式図。
【図１８】・・・・・＜実施例４＞による表示シートの斜視図。
【図１９】・・・・・＜実施例４＞による表示シート及び紐で看板本体を被覆した状態              を示す斜視図。
【符号の説明】
【００４２】
１・・・看板本体
２・・・表示シート
３・・・孔
４・・・紐
５・・・臨時看板
６・・・支柱
７・・・取り付け治具
８・・・紐固定用の治具
【図１】
2005107241.tif 000003
【図２】
2005107241.tif 000004
【図３】
2005107241.tif 000005
【図４】
2005107241.tif 000006
【図５】
2005107241.tif 000007
【図６】
2005107241.tif 000008
【図７】
2005107241.tif 000009
【図８】
2005107241.tif 000010
【図９】
2005107241.tif 000011
【図１０】
2005107241.tif 000012
【図１１】
2005107241.tif 000013
【図１２】
2005107241.tif 000014
【図１３】
2005107241.tif 000015
【図１４】
2005107241.tif 000016
【図１５】
2005107241.tif 000017
【図１６】
2005107241.tif 000018
【図１７】
2005107241.tif 000019
【図１８】
2005107241.tif 000020
【図１９】
2005107241.tif 000021